(57)【要約】【課題】新設時でも、改修時でも、次の改修までの期間を大幅に延長することが可能となる長期耐用性のコンクリート製水路を提供するものである。【解決手段】水を流す溝を有する複数個のコンクリートブロックを端面連結して構成したコンクリート製水路において、前記各コンクリートブロックの端面連結部の目地施工構造として、中間に、例えば、ボンネルタイト製の弾性シール目地材層を配置し、その両側端面の各々と対面するコンクリートブロック側端面との間にレジンとガラス繊維を含有させた高靱性モルタル層を配置したことを特徴とするコンクリート製水路。【選択図】        図１
2008231786.tif 000002
【特許請求の範囲】
【請求項１】
水を流す溝を有する複数個のコンクリートブロックを端面連結して構成したコンクリート製水路において、前記各コンクリートブロックの端面連結部の目地施工構造として、中間に弾性シール目地材層を配置し、その両側端面の各々と対面するコンクリートブロック側端面との間にレジンとガラス繊維を含有させた高靱性モルタル層を配置したことを特徴とするコンクリート製水路。
【発明の詳細な説明】
【技術分野】
【０００１】
本発明は、用水、排水、その他の水路を構成するコンクリート製水路に関するもので、特に水を流すＵ字型溝を有する所謂Ｕ字型コンクリートブロックの端面連結部の優れた目地施工構造を提供するものである。
【背景技術】
【０００２】
コンクリート製水路例えばコンクリート製Ｕ字型水路は、多数のＵ字型コンクリートブロックを端面連結して構成する。
この各Ｕ字型コンクリートブロックの端面連結部の従来の目地施工構造は、新設でも改修工事においても、Ｕ字型コンクリートブロックの狭い端面間に、通常エラスタイトやケンタイトと呼ばれる止水板（目地板）のみを単体で挟持配置するものであった。
【発明の開示】
【発明が解決しようとする課題】
【０００３】
しかしながら、コンクリート製Ｕ字用排水溝の設置周辺環境における温度、湿度などの急激な繰り返し変化や長期にわたる高温または低温度の異常継続とその急変などの繰り返しに伴うコンクリートブロックの膨張・収縮による容積変動を、前記エラスタイトやケンタイト単体の目地板では、吸収しきれず、目地板が割れたり潰れたり亀裂したり盛り上ったりの塑性変形により劣化する。場合によっては、コンクリートブロック自身も目地板を圧壊しは破損する。
更に目地板自体が紫外線などにより劣化する。これらによりコンクリート製Ｕ字用排水溝の耐用年数は著しく短命なものであり短期に該目地施工構造部又はコンクリートブロックの改修工事をせざるを得なかった。
因みに、従来技術の前記目地板の劣化現象による寿命は、５〜１０年である。
本発明は、新設時でも、改修時でも、次の改修までの期間を大幅に延長することが可能となる優れた長期耐用性のコンクリート製Ｕ字用排水溝において長期耐用目地を提供することで全体の用排水路の長期寿命化を提供するものである。
【課題を解決するための手段】
【０００４】
本発明は上記課題に応えたものであり、その特徴とするところは、次の（1）にある。
【０００５】
（1）、水を流す溝を有する複数個のコンクリートブロックを端面連結して構成したコンクリート製水路において、前記各コンクリートブロックの端面連結部の目地施工構造として、中間に弾性シール目地材層を配置し、その両側端面の各々と対面するコンクリートブロック側端面との間にレジンとガラス繊維を含有させた高靱性モルタル層を配置したことを特徴とするコンクリート製水路。
【発明の効果】
【０００６】
本発明は、コンクリート製水路として、水を流す溝、例えばＵ字型溝を有するコンクリートブロックを端面連結して形成したコンクリート製Ｕ字水路において、前記各コンクリートブロックの端面連結部の新設又は改修の目地施工構造として、上記高靱性モルタル層と、弾性シール目地材層と、高靱性モルタル層のサンドイッチ構造にすることにより、コンクリート製Ｕ字水路の設置周辺環境における温度、湿度などの急激な繰り返し変化や長期にわたる高温または低温度の異常継続とその急変などの繰り返しに伴うコンクリートブロックの伸縮を、割れ潰れ亀裂その他塑性変形することなく吸収して、コンクリートブロック及び目地施工構造体の破損を抑制し、その耐用年数を大幅に向上させるものである。
従って本発明のコンクリート製水路は、次の改修までの期間を大幅に延長することが可能となる。
また、コンクリートブロックのＵ字溝等の水を流す溝を壊すことなく改修できることで環境問題に対して著しい貢献が期待できる。
【発明を実施するための最良の形態】
【０００７】
１．高靱性モルタル層の意義
本発明において、レジンとガラス繊維を含有させた高靱性モルタル層は、一側端面をコンクリートブロックの一側端面と強固に接着結合してコンクリートブロックから直接加わる長手方向、幅方向の膨張・収縮及び上下左右その他の変位に対して離れることなく、損壊することなく追従緩衝して弾性シール目地材層への伝播応力を和らげるものである。
２．弾性シール目地材層の意義
本発明において、前記弾性シール目地材層は、例えば、ボンネルタイト層（アオイ化学工業株式会社製の商品名：表面エンボス加工樹脂発泡目地板）の両側端面のエンボス加工表面の各々を高靱性モルタル層側端面に密着接合してズレを完全に防止すると共に、両高靱性モルタル層を介して和らげられたコンクリートブロック変位による伝播応力を最終的に吸収して圧壊や剥離などを確実に防止し、漏水を有利に防止するものである。
本発明において、弾性シール目地材層と高靱性モルタル層の周囲には、漏水に対する万全策として、例えば、チオレックスボンド（アオイ化学工業株式会社製の商品名：ポリサルファイドポリマー（多硫化ゴム）を主原料とする二成分型弾性シーリング材）などを配設することが好ましい。
【実施例１】
【０００８】
図１は、本発明の実施例１のコンクリート製Ｕ字水路におけるンクリートブロックの端面連結部の目地施工構造を示す平面説明図である。
図２は、図１の矢視A-Aからの横断面説明図である。
図３は、図１の矢視B-Bからの目地構造部の縦断面説明図であり、（１）と（２）は止水材の被覆方法の違いを示す。
図４は実施例１における高靭性モルタル（プレミックス）の圧縮強度の変化を示すグラフである。
図１、図２、図３において、Ｕ字型溝Ｍを有する各コンクリートブロック100、101の端面連結部200の目地施工構造として、中間に前記ボンネルタイト弾性シール目地材層300を配置し、その両側端面300Ｒ、300Ｌの各々と対面する上記コンクリートブロック100、101の側端面100Ｒ、101Ｌとの間にレジンとガラス繊維を含有させた高靱性モルタル層401、402を配置し、目地施工構造の溝内側面に図３に示す如く、止水材500として溝内側面に前記チォレクックスボンドを被覆したもの図３の（１）は、止水材500をドーム型にして溝側に露出するボンネルタイト弾性シール目地材層300の全表面とこれに隣接する高靱性モルタル層401、402の表面部を覆う例であり、（２）はボンネルタイト弾性シール目地材層300を図のように段付き凹部に形成してその段付き凹部内に充填したものである。
【０００９】
そこで、表１に、気温の変動や乾湿の繰り返しによるコンクリートブロックの伸縮量を定量的に示し、それに対応できる上記目地施工構造部200のボンネルタイト弾性シール目地材層300と、高靱性モルタル層401、402の各層の長さ厚さとを示すと共に、ボンネルタイト弾性シール目地材層300と高靭性モルタル層401、402の配合例の代表的な原料配合設計例を示す。
【００１０】
【表１】
2008231786.tif 000003
上記表１に記載の各目地施工構造部例の物性値を表２に示し、圧縮強度の変化を表３と図４に示す。
【００１１】
【表２】
2008231786.tif 000004
【００１２】
【表３】
2008231786.tif 000005
【００１３】
弾性シール目地材層（ボンネルタイト）300の物性値は次の通りである。
（イ）、せん断強度：０．２０N／mm2
（ロ）、１／２圧縮強さ：０．２６N／mm2
（ハ）、復元率：９７％
（ニ）、吸水率：０．３％
（ホ）、硬度：５４（表面エンボス加工前原板の試験値）
（ヘ）、見掛密度：０．０７３g／cm3
（ト）、発泡倍率：１４倍
【００１４】
＜実施例のまとめ＞
本実施例１において、レジンとガラス繊維を含有させた高靱性モルタル層401と402により、一側端面をコンクリートブロック100、101の一側端面と強固に接着結合してコンクリートブロック100、101から直接加わる長手方向、幅方向の膨張・収縮及び上下左右その他の変位に対して離れることなく、損壊することなく追従緩衝して中間に弾性シール目地材層300への伝播応力を大幅に和らげることができた。
このためボンネルタイト弾性シール目地材層300により、その両側端面の各々を高靱性モルタル層401と402の各側端面100Ｒ、101Ｌと密着接合して、両高靱性モルタル層401と402を介して和らげられたコンクリートブロック100、101の変位による伝播応力を最終的に確実に吸収してコンクリートブロック100、101及び高靱性モルタル層401と402の圧壊や剥離などを完全に防止すると共に、止水材500とにより漏水を防止することができた。１０〜２０年以上の長期に亘る寿命を確保することが確実に可能となった。
【産業上の利用可能性】
【００１５】
本発明は、前述のように、コンクリート製水路として、水を流す溝、例えばＵ字型溝を有するコンクリートブロックを端面連結して形成したコンクリート製Ｕ字水路において、前記各コンクリートブロックの端面連結部の新設又は改修の目地施工構造として、上記高靱性モルタル層と、例えば、ボンネルタイト弾性シール目地材層と高靱性モルタル層のサンドイッチ構造にすることにより、コンクリート製Ｕ字水路の設置周辺環境における温度、湿度などの急激な繰り返し変化や長期にわたる高温または低温度の異常継続とその急変などの繰り返しに伴うコンクリートブロックの伸縮を、割れ潰れ亀裂その他塑性変形することなく吸収して、コンクリートブロック及び目地施工構造体の破損を抑制し、その耐用年数を大幅に向上させるものである。
このため本発明のコンクリート製水路は、次の改修までの期間を大幅に延長することが可能となる。
また、コンクリートブロックのＵ字溝等の水を流す溝を壊すことなく改修できることで環境問題に対して著しい貢献が期待できる。
本発明はこのような優れた効果を呈するため、農業用、工業用など全ての用水、排水その他の水路の新設及び改修工事において適用して、その長寿命化を実現することができるもので産業上の利用可能性は極め高いものである。
【図面の簡単な説明】
【００１６】
【図１】本発明の実施例１のコンクリート製Ｕ字水路におけるンクリートブロックの端面連結部の目地施工構造を示す平面説明図である。
【図２】図１の矢視A-Aからの横断面説明図である。
【図３】図１の矢視B-Bからの目地構造部の縦断面説明図であり、（１）と（２）は止水材の被覆方法の違いを示す。
【図４】実施例１における高靭性モルタル（プレミックス）の圧縮強度の変化を示すグラフである。
【符号の説明】
【００１７】
Ｍ            Ｕ字型溝
100、101      コンクリートブロック
100Ｒ、101Ｌ  側端面
200           端面連結部
300           弾性シール目地材層（ボンネルタイト）
300Ｒ、300Ｌ  弾性シール目地材層（ボンネルタイト）の両側端面
401、402      高靱性モルタル層
500           止水材（チオレックスボンド）
【図１】
2008231786.tif 000006
【図２】
2008231786.tif 000007
【図３】
2008231786.tif 000008
【図４】
2008231786.tif 000009